(57)【要約】【課題】不審者が侵入した場合に瞬時にして不審者の頭上に弾性袋体に内蔵された液体が落下することによって不審侵入者の体に異常が生じて動作が緩慢になり行動が停止するようにした不審者撃退装置を提供すること。【解決手段】本考案の不審者撃退装置は、液体が封入された弾性袋体３と、この弾性袋体が収容される空間部２を有する本体１と、上記袋体が載置された本体下部に移動板７を有し、この移動板７を水平方向に移動させ、この移動板７の先端に連結された金属部品６によって紐体８を引っ張ることにより前記弾性袋体３を突き破る為に内部の弾性袋体３の液体１７が前記の空間部分２を介して、不審者１５の頭上で落下することを特徴とする。【選択図】図５
0003126527.tif 000002
【実用新案登録請求の範囲】
【請求項１】
液体が封入された弾性袋体３とこの弾性袋体が収容される空間部２を有する本体１と、上記袋体が載置された本体下部に移動板７を有し、この移動板７を水平方向に移動させ、この移動板７の先端に連結された金属部品６によって紐体８を引っ張ることにより前記弾性袋体３を突き破る為に内部の弾性袋体３の液体１７が前記の空間部分２を介して、不審者１５の頭上で落下することを特徴とする不審者撃退装置。
【請求項２】
請求項１に記載した弾性袋体３の中身は、海水と同じ濃度の液体であることを特徴とする不審者撃退装置。
【請求項３】
前記弾性袋体３の中身は、塩、カラシパウダー、こしょう等刺激物との混合水であることを特徴とする不審者撃退装置。
【考案の詳細な説明】
【技術の分野】
【０００１】    本考案は、コンビニエンスストアに不審者が侵入した際に中身に液体等封入された弾性袋体が侵入者の頭上に落下することによって侵入者の行動が緩慢になり行動が停止することを期待し得る不審者撃退装置に関するものである。
【背景技術】
【０００２】    従来、この種の装置、機器として電気的動力を使用した装置、センサー等を用いたものがあるが、それらの設備等は、故障が多く又防犯カメラ等も警察、警備員が到着するまでに時間がかかってしまう為に侵入者は逃亡してしまう難点があった。【０００３】    本考案、上記の点にに鑑みてなされたもので、前記の故障及び不良に対してすべて人為的で比較的単純に設計してあり、故障及び不良は１００％近い確率で生じないことを特徴とする不審者撃退装置を提供することを目的とする。
【考案が解決しようとする課題】
【０００４】    上記したように本考案は、比較的簡単な構造で制作費用も少なく故障等も生じない不審者撃退装置を提供する。
【０００５】    本考案の不審者撃退装置は不審者が侵入したときに店員が常備している紐体８を水平に引っ張ると水平板７が空間部分４を水平に移動して弾性袋体３を破り液体１７が不審者１５の頭上に落下する構成と成っている。
【０００６】    上記の通り本考案は不審者撃退装置を設置することで従業員に怪我が生じることなくて尚被害が最小限ですむことが特徴である。
【本考案を実施する為の最良の形態】
【０００７】    本考案は操作が単純で誰にでも使用できて失敗がなく安全である不審者撃退装置である。
【０００８】    前記の弾性袋体の材質はゴム製品である。６の金属部分が水平移動して弾性袋体を破るにはゴム製品が最適である。本体１の中に弾性袋体を設置して３０日間位放置したが異常がないことを確認できた。
【０００９】    弾性袋体は破損しているとこの装置には使用不能であるから月に１回くらいよく点検する事が必要である。
【００１０】    不審侵入者が入ってきたので店員が常備の紐体８を引っ張ったところ侵入者１５に液体１７が落下した。侵入者１５は目をこすり始めその後くしゃみを４〜５回繰り返した。その時点で金品を強奪することは不可能であることが証明できた。
【図面の簡単な説明】
【００１１】
【図１】  本考案の不審者撃退装置の斜視図
【図２】  本考案装置の上面から見た平面図
【図３】  本体の空間部弾性袋体を破る水平に引き出す板の側面図
【図４】  上記水平板の平面図
【図５】  設置する場所と店舗の見取り図
【符号の説明】
１．本体の全体
２．本体の空間部
３．弾性袋体
４．水平方向に引く板の空間部
５．水平板
６．水平板の先端の金属金具
７．水平板
８．水平板を引く紐
９．水平板
１０．水平板の先端の金属金具
１１．本体設置図
１２．水平板を引く紐
１３．天井
１４．カウンター
１５．不審者
１６．床
１７．弾性袋体の中の液体
【図１】
0003126527.tif 000003
【図２】
0003126527.tif 000004
【図３】
0003126527.tif 000005
【図４】
0003126527.tif 000006
【図５】
0003126527.tif 000007
【手続補正書】
【提出日】平成18年8月21日(2006.8.21)
【手続補正１】
【補正対象書類名】実用新案登録請求の範囲
【補正対象項目名】全文
【補正方法】変更
【補正の内容】
【実用新案登録請求の範囲】
【請求項１】
液体が封入された弾性袋体（３）とこの弾性袋体が収容される空間部（２）を有する本体（１）と、上記袋体が載置された本体下部に移動板（７）を有し、紐体（８）を引っ張ることによりこの移動板（７）を水平方向に移動させ、この移動板（７）の先端に連結された金属部品（６）によって前記弾性袋体（３）を突き破ることにより、内部の弾性袋体（３）の液体（１７）が前記の空間部分（２）を介して、不審者（１５）の頭上で落下するようにしたことを特徴とする不審者撃退装置。
【請求項２】
弾性袋体（３）の中身は、海水と同じ濃度の液体であることを特徴とする請求項１記載の不審者撃退装置。
【請求項３】
弾性袋体（３）の中身は、塩、カラシパウダー、こしょう等刺激物との混合水であることを特徴とする請求項１記載の不審者撃退装置。
【手続補正２】
【補正対象書類名】明細書
【補正対象項目名】全文
【補正方法】変更
【補正の内容】
【考案の詳細な説明】
【技術分野】
【０００１】
本考案は、コンビニエンスストアに不審者が侵入した際に中身に液体等封入された弾性袋体が侵入者の頭上に落下することによって侵入者の行動が緩慢になり行動が停止することを期待し得る不審者撃退装置に関するものである。
【背景技術】
【０００２】
従来、この種の装置、機器として電気的動力を使用した装置、センサー等を用いたものがあるが、それらの設備等は、故障が多く又防犯カメラ等も警察、警備員が到着するまでに時間がかかってしまう為に侵入者は逃亡してしまう難点があった。
【０００３】
本考案は、上記の点に鑑みてなされたもので、前記の故障及び不良に対してすべて人為的で比較的単純に設計してあり、故障及び不良は１００％近い確率で生じないことを特徴とする不審者撃退装置を提供することを目的とする。
【特許文献１】特にありません。
【考案の開示】
【考案が解決しようとする課題】
【０００４】
上記したように本考案は、比較的簡単な構造で制作費用も少なく故障等も生じない不審者撃退装置を提供する。
【課題を解決するための手段】
【０００５】
本考案の不審者撃退装置は、不審者が侵入したときに店員が常備している紐体８を水平に引っ張ると移動板７が空間部分４を水平に移動して弾性袋体３を破り、液体１７が不審者１５の頭上に落下する構成と成っている。
【考案の効果】
【０００６】
上記の通り、本考案は不審者撃退装置を設置することで従業員に怪我が生じることなくて尚被害が最小限ですむことが特徴である。
【考案を実施するための最良の形態】
【０００７】
以下本考案の不審者撃退装置の実施の形態について、図面に基いて詳細に説明する。
図１は本考案の不審者撃退装置の斜視図、図２は本考案装置の上面から見た平面図、図３は本体の空間部弾性袋体を破るために水平に引き出す移動板の側面図、図４は上記移動板の平面図、図５は設置する場所と店舗の見取り図である。
図１ないし図５に示すように、本考案の不審者撃退装置は、  液体が封入された弾性袋体３とこの弾性袋体が収容される空間部２を有する本体１と、上記袋体３が載置された本体１下部に移動板７を有している。
したがって、この移動板７を紐体８を引っ張ることにより水平方向に移動させると、この移動板７の先端に連結された金属部品６によって、前記弾性袋体３が突き破られ、内部の弾性袋体３の液体１７が前記の空間部分２を介して、不審者１５の頭上に落下するのである。
上記弾性袋体３の中身は、海水と同じ濃度の液体であってもよい。
また弾性袋体３の中身は、塩、カラシパウダー、こしょう等刺激物との混合水であってもよい。
本考案は以上のように、不審者が侵入したときに店員が常備している紐体８を水平に引っ張ると、移動板７が空間部分４を水平に移動して弾性袋体３を破り、液体１７が不審者１５の頭上に落下する構成と成っている。
本考案は繰作が単純で誰にでも使用できて失敗がなく安全である不審者撃退装置である。
【０００８】
前記の弾性袋体３の材質はゴム製品である。金属部品６が水平移動して弾性袋体を破るにはゴム製品が最適である。本体１の中に弾性袋体を設置して３０日間位放置したが異常がないことを確認できた。
【０００９】
弾性袋体３は破損しているとこの装置には使用不能であるから月に１回くらいよく点検する事が必要である。
【００１０】
不審侵入者が入ってきたので店員が常備の紐体８を引っ張ったところ侵入者１５に液体１７が落下した。侵入者１５は目をこすり始め、その後くしやみを４〜５回繰り返した。その時点で金品を強奪することは不可能であることが証明できた。
【産業上の利用可能性】
【００１１】
本考案の不審者撃退装置は、コンビニエンスストア以外の不審者の侵入に対処する必要のある店舗等にも利用できることはいうまでもない。
【図面の簡単な説明】
【００１２】
【図１】本考案の不審者撃退装置の斜視図
【図２】本考案装置の上面から見た平面図
【図３】本体の空間部弾性袋体を破る水平に引き出す板の側面図
【図４】上記移動板の平面図
【図５】設置する場所と店舗の見取り図
【符号の説明】
【００１３】
１．本体の全体
２．本体の空間部
３．弾性袋体
４．水平方向に引く板の空間部
６．移動板の先端の金属金具
７．移動板
８．移動板を引く紐
１１．本体設置図
１２．移動板を引く紐
１３．天井
１４．カウンター
１５．不審者
１６．床
１７．弾性袋体の中の液体
【手続補正３】
【補正対象書類名】図面
【補正対象項目名】全図
【補正方法】変更
【補正の内容】
【図１】
0003126527.tif 000008
【図２】
0003126527.tif 000009
【図３】
0003126527.tif 000010
【図４】
0003126527.tif 000011
【図５】
0003126527.tif 000012